(57)【特許請求の範囲】
【請求項１】
建物１戸分の内装材の購入にかかる費用を見積もる内装材購入費見積システムであって、
購入単価の異なる複数の価格プランの各々について、購入単価と優先順位とを記憶した第１記憶部と、
内装材を設置する設置場所別の内装材の種類毎に、前記複数の価格プランのうちの１つを記憶した第２記憶部と、
設置場所毎に、当該設置場所に設置可能な内装材の種類を全てユーザに提示し、提示した内装材の種類の中からユーザにより選択された１つの内装材の種類を記憶する選択制御部と、
第１記憶部に記憶されている前記複数の価格プランの中から、１つの価格プランを見積用価格プランとして選定する価格プラン選定部と、
前記価格プラン選定部が選定した見積用価格プランの購入単価を基に、建物１戸分の内装材の購入にかかる費用を算出する見積額算出部とを備えており、
前記価格プラン選定部は、設置場所毎に、当該設置場所と、当該設置場所について選択制御部が記憶した内装材の種類とに対応する価格プランを前記第２記憶部から抽出し、全ての設置場所において同一の価格プランが抽出された場合には、その価格プランを見積用価格プランとして選定する一方、少なくとも１つの設置場所において他の設置場所と異なる価格プランが抽出された場合には、抽出した価格プランのうち、第１記憶部に記憶されている優先順位が最も高い１つの価格プランを見積用価格プランとして選定する
ことを特徴とする内装材購入費見積システム。
【請求項２】
購入単価の異なる複数の価格プランの各々について購入単価と優先順位とを記憶した第１記憶部の記憶内容と、内装材を設置する設置場所別の内装材の種類毎に前記複数の価格プランのうちの１つを記憶した第２記憶部の記憶内容を基に、建物１戸分の内装材の購入にかかる費用を見積もる内装材購入費見積方法の下記の各ステップをコンピュータに実行させるための内装材購入費見積プログラムであって、
前記内装材購入費見積方法が、
内装材が設置される設置場所毎に、当該設置場所に設置可能な内装材の種類を全てユーザに提示する提示ステップと、
設置場所毎に、前記提示ステップで提示した内装材の種類の中からユーザにより選択された１つの内装材の種類を記憶する記憶ステップと、
前記記憶ステップで記憶した内装材の種類と、前記第１記憶部の記憶内容と、前記第２記憶部の記憶内容とに基づいて、前記複数の価格プランの中から、１つの価格プランを見積用価格プランとして選定する価格プラン選定ステップと、
前記価格プラン選定ステップで選定した見積用価格プランの購入単価を基に、建物１戸分の内装材の購入にかかる費用を算出する見積額算出ステップとを有し、
前記価格プラン選定ステップでは、設置場所毎に、当該設置場所と、当該設置場所について前記記憶ステップで記憶した内装材の種類とに対応する価格プランを前記第２記憶部から抽出し、全ての設置場所において同一の価格プランが抽出された場合には、その価格プランを見積用価格プランとして選定する一方、少なくとも１つの設置場所において他の設置場所と異なる価格プランが抽出された場合には、抽出した価格プランのうち、前記第１記憶部に記憶されている優先順位が最も高い１つの価格プランを見積用価格プランとして選定する
ことを特徴とする内装材購入費見積プログラム。
【発明の詳細な説明】
【技術分野】
【０００１】
本発明は、建物１戸分の内装材の購入にかかる費用を見積もる内装材購入費見積システム、及び内装材購入費見積プログラムに関する。
【背景技術】
【０００２】
従来、カーテン、壁紙、床材等の建物の内装材の購入にかかる費用を見積もる内装材購入費見積方法が提案されている。
【０００３】
例えば、特許文献１には、生地単価等の価格別に数段階にランク付けしたカーテン生地の価格ランクを表示したグレード一覧表と、この一覧表の価格ランク毎に１種類用意され、カーテンの仕上がり巾と仕上がり丈とから決定されるカーテンサイズ毎の価格をマトリックス状に表示した価格一覧表とを使用したカーテンの販売価格の見積方法が開示されている。
【０００４】
この特許文献１の見積方法では、カーテンの販売者は、まず、購入者の予算に合った価格ランクを、グレード一覧表に表示されたカーテン生地の価格ランクの中から選択する。そして、選択した価格ランクに対応した価格一覧表に表示されているカーテンサイズ毎の価格の中から、カーテンを取り付ける窓の間口及びサイズに合ったカーテンサイズの価格を選択し、選択した価格を販売価格とする。
【先行技術文献】
【特許文献】
【０００５】
【特許文献１】特開２０００−３２６６６０号公報
【発明の概要】
【発明が解決しようとする課題】
【０００６】
ところで、新しく住宅等の建物を購入する場合には、内装材が設置される各設置場所の内装材をまとめて購入することが多く、このような場合には、建物１戸分の内装材の購入にかかる費用を見積もることが要求される。
【０００７】
例えば、内装材がカーテンである場合において、上記した要求に対応するには、建物に設置されている窓毎にその窓に設置するカーテンを決定した上で、それらカーテンの価格を合算して、建物１戸分のカーテンの購入にかかる費用を算出する必要がある。
【０００８】
すなわち、特許文献１の見積方法によりカーテンの購入にかかる費用を見積もる場合には、建物に設置されている窓毎に、グレード一覧表から価格ランクを選択し、選択した価格ランクに対応する価格一覧表に表示されているカーテンサイズ毎の価格の中から、窓の間口及びサイズを確認した上で、窓の間口及びサイズに合ったカーテンサイズの価格を選択しなければならない。また、最終的に、各窓に対して選択した各カーテンの価格を合算しなければならなかった。
【０００９】
つまり、特許文献１の見積方法による見積作業は、窓毎に、グレード一覧表から価格ランクを選択する作業、価格ランクに対応する価格一覧表を複数種類用意された価格一覧表の中から抽出する作業、窓の間口及びサイズを確認する作業、並びに、価格一覧表から窓の間口及びサイズに合った価格を選択する作業を要する上、最終的に、各窓に対して選択した各カーテンの価格を合算する作業を要し、煩雑且つ多くの時間を要する作業となっていた。
【００１０】
また、内装材が壁紙又は床材等のカーテン以外の内装材である場合においても、上記したカーテンの場合と同様に、建物１戸分の内装材の購入にかかる費用の見積作業には、内装材が設置される設置場所毎に、複数種類ある内装材の中から、その設置場所のサイズ及び購入者の予算に合った内装材を選択する作業、及び、各設置場所に対して選択した内装材の価格を合算する作業を要し、その見積作業は、煩雑且つ多くの時間を要する作業であった。
【００１２】
本発明は、建物１戸分の内装材の購入にかかる費用を迅速かつ簡単に見積もることができる内装材購入費見積システム、及び内装材購入費見積プログラムを提供することを目的とする。
【課題を解決するための手段】
【００１３】
本発明に係る内装材購入費見積システムで用いられる内装材購入費見積用帳票は、建物１戸分の内装材の購入にかかる費用を見積もる際に使用される内装材購入費見積用帳票であって、内装材が設置される設置場所が項目名として表記された複数の設置場所欄が、行及び列の一方の方向に沿って配列され、前記設置場所欄のそれぞれと交差するように設けられ、価格プランの購入単価が項目名として表記された複数の購入単価欄が、当該価格プランの優先順位の低い順に、行及び列の他方の方向に沿って配列され、各設置場所に設置可能な各内装材の種類が、当該設置場所が表記された設置場所欄と、当該設置場所の当該内装材の種類に対応する価格プランの購入単価が表記された購入単価欄とが交差する位置に表記され、各価格プランの区分け線が、当該価格プランの購入単価が表記された購入単価欄及び当該価格プランよりも優先順位の低い価格プランの購入単価が表記された全ての購入単価欄を囲むように描かれている。
【００１４】
この帳票によれば、設置場所毎に設置可能な内装材の種類を把握することができるとともに、各設置場所について選択した内装材の種類がどの区分け線に囲まれているかを確認することで、複数ある価格プランの中から、建物１戸分の内装材の購入にかかる費用の見積に使用する見積用価格プランを簡単に選定することができる。そして、この見積用価格プランの購入単価を基に、建物１戸分の内装材の購入にかかる費用を迅速且つ簡単に算出することができる。
【００１５】
また、上記構成の内装材購入費見積用帳票において、内装材の種類は、当該種類の内装材を設置場所に設置した状態を示すイメージ図で表記されていてもよい。この帳票によれば、内装材が設置場所に設置された時の状態をイメージしながら、各設置場所の内装材の種類を選択することができる。
【００１６】
また、本発明に係る内装材購入費見積システムは、建物１戸分の内装材の購入にかかる費用を見積もる内装材購入費見積システムであって、購入単価の異なる複数の価格プランの各々について、購入単価と優先順位とを記憶した第１記憶部と、内装材を設置する設置場所別の内装材の種類毎に、前記複数の価格プランのうちの１つを記憶した第２記憶部と、設置場所毎に、当該設置場所に設置可能な内装材の種類を全てユーザに提示し、提示した内装材の種類の中からユーザにより選択された１つの内装材の種類を記憶する選択制御部と、第１記憶部に記憶されている前記複数の価格プランの中から、１つの価格プランを見積用価格プランとして選定する価格プラン選定部と、前記価格プラン選定部が選定した見積用価格プランの購入単価を基に、建物１戸分の内装材の購入にかかる費用を算出する見積額算出部とを備えており、前記価格プラン選定部は、設置場所毎に、当該設置場所と、当該設置場所について選択制御部が記憶した内装材の種類とに対応する価格プランを前記第２記憶部から抽出し、全ての設置場所において同一の価格プランが抽出された場合には、その価格プランを見積用価格プランとして選定する一方、少なくとも１つの設置場所において他の設置場所と異なる価格プランが抽出された場合には、抽出した価格プランのうち、第１記憶部に記憶されている優先順位が最も高い１つの価格プランを見積用価格プランとして選定することを特徴とする。
【００１７】
このシステムによれば、内装材が設置される設置場所毎に、当該設置場所に設置可能な内装材の種類が全て提示されるから、ユーザは、各設置場所について、提示された内装材の種類の中から、その設置場所の大きさ等を確認することなく、迅速且つ簡単に、１つの内装材の種類を選択することができる。
【００１８】
また、このシステムでは、設置場所毎の内装材の種類の選択結果に基づいて、１つの価格プランを選定し、この選定した価格プランの購入単価を基に、見積額を算出するため、設置場所毎に内装材の価格を決定してから、それら価格を合算する場合と比べて、迅速且つ簡単に、建物１戸分の内装材の購入にかかる費用を見積もることができる。
【００１９】
また、本発明に係る内装材購入費見積プログラムは、購入単価の異なる複数の価格プランの各々について購入単価と優先順位とを記憶した第１記憶部の記憶内容と、内装材を設置する設置場所別の内装材の種類毎に前記複数の価格プランのうちの１つを記憶した第２記憶部の記憶内容を基に、建物１戸分の内装材の購入にかかる費用を見積もる内装材購入費見積方法の下記の各ステップをコンピュータに実行させるための内装材購入費見積プログラムであって、前記内装材購入費見積方法が、内装材が設置される設置場所毎に、当該設置場所に設置可能な内装材の種類を全てユーザに提示する提示ステップと、設置場所毎に、前記提示ステップで提示した内装材の種類の中からユーザにより選択された１つの内装材の種類を記憶する記憶ステップと、前記記憶ステップで記憶した内装材の種類と、前記第１記憶部の記憶内容と、前記第２記憶部の記憶内容とに基づいて、前記複数の価格プランの中から、１つの価格プランを見積用価格プランとして選定する価格プラン選定ステップと、前記価格プラン選定ステップで選定した見積用価格プランの購入単価を基に、建物１戸分の内装材の購入にかかる費用を算出する見積額算出ステップとを有し、前記価格プラン選定ステップでは、設置場所毎に、当該設置場所と、当該設置場所について前記記憶ステップで記憶した内装材の種類とに対応する価格プランを前記第２記憶部から抽出し、全ての設置場所において同一の価格プランが抽出された場合には、その価格プランを見積用価格プランとして選定する一方、少なくとも１つの設置場所において他の設置場所と異なる価格プランが抽出された場合には、抽出した価格プランのうち、前記第１記憶部に記憶されている優先順位が最も高い１つの価格プランを見積用価格プランとして選定することを特徴とする。
【００２０】
この内装材購入費見積プログラムによりコンピュータで実行される内装材購入費見積方法によれば、内装材が設置される設置場所毎に、当該設置場所に設置可能な内装材の種類が全てユーザに提示されるから、ユーザは、各設置場所について、提示された内装材の種類の中から、その設置場所の大きさ等を確認することなく、迅速且つ簡単に、１つの内装材の種類を選択することができる。
【００２１】
また、設置場所毎の内装材の種類の選択結果に基づいて、１つの価格プランを選定し、この選定した価格プランの購入単価を基に、見積額を算出するため、設置場所毎に内装材の価格を決定してから、それらの価格を合算する従来の見積方法と比べて、迅速且つ簡単に、建物１戸分の内装材の購入にかかる費用を見積もることができる。
【発明の効果】
【００２３】
本発明によれば、建物１戸分の内装材の購入にかかる費用を見積もる際に使用されることにより、建物１戸分の内装材の購入にかかる費用の見積の作業を迅速化且つ簡略化させることが可能な内装材購入費見積用帳票を提供することができる。
【００２４】
また、本発明によれば、建物１戸分の内装材の購入にかかる費用を迅速かつ簡単に見積もることができる内装材購入費見積システム、及び内装材購入費見積プログラムを提供することができる。
【図面の簡単な説明】
【００２５】
【図１】図１は、本発明の実施の形態１に係るカーテン購入費見積用帳票の概略を示す概略図である。
【図２】図２は、図１で示したカーテン購入費見積用帳票の一部を拡大して示す部分拡大図である。
【図３】図３は、本発明の実施の形態１に係るカーテン購入費見積用帳票を使用したカーテン購入費見積方法を示すフローチャート図である。
【図４】図４は、本発明の実施の形態２に係るカーテン購入費見積システムの機能構成を示す機能構成図である。
【図５】図５は、図４に示すカーテン購入費見積システムの価格プラン情報データベースに記憶されている記憶内容の一例を示す図である。
【図６】図６は、図４に示すカーテン購入費見積システムの場所別カーテン種別価格プラン情報データベースに記憶されている記憶内容の一例を示す図である。
【図７】図７は、図４に示すカーテン購入費見積システムにより実施される内装材購入費見積処理の動作の流れを示すフローチャート図である。
【図８】図８は、図４に示すカーテン購入費見積システムで表示される初期画面の一例を示す図である。
【図９】図９は、図４に示すカーテン購入費見積システムで表示される１Ｆ掃出窓用の選択画面の一例を示す図である。
【図１０】図１０は、図４に示すカーテン購入費見積システムで表示される１Ｆ腰窓用の選択画面の一例を示す図である。
【図１１】図１１は、図４に示すカーテン購入費見積システムで表示される２Ｆ掃出窓用の選択画面の一例を示す図である。
【図１２】図１２は、図４に示すカーテン購入費見積システムで表示される２Ｆ腰窓用の選択画面の一例を示す図である。
【図１３】図１３は、図４に示すカーテン購入費見積システムで表示される和室掃出窓用の選択画面の一例を示す図である。
【図１４】図１４は、図４に示すカーテン購入費見積システムで表示される和室腰窓用の選択画面の一例を示す図である。
【図１５】図１５は、図４に示すカーテン購入費見積システムで表示される小窓用の選択画面の一例を示す図である。
【図１６】図１６は、図４に示すカーテン購入費見積システムで表示される結果表示画面の一例を示す図である。
【図１７】図１７は、図４に示すカーテン購入費見積システムで表示される結果表示画面の他の例で表示されるカーテン見積用帳票の概略を示す概略図である。
【発明を実施するための形態】
【００２６】
以下、本発明の実施の形態について、図面を参照して説明する。ただし、以下に示す実施の形態は、本発明を具体化した一例であって、発明の技術的範囲を限定するものではない。
【００２７】
まず、建物１戸分の内装材であるカーテンの購入にかかる費用を見積もる際に使用するカーテン購入費見積用帳票について説明する。
【００２８】
このカーテン購入費見積用帳票１には、図１及び図２に示すように、列方向に沿って複数の設置場所欄１１ａ〜１１ｇが配列され、設置場所欄１１ａ〜１１ｇのそれぞれと交差するように行方向に沿って複数の購入単価欄１２ａ〜１２ｃが配列されている。また、設置場所欄１１ａ〜１１ｇと購入単価欄１２ａ〜１２ｃとが交差する位置には、カーテンの種類（レギュラーカーテン、ロールスクリーン、プレーンシェード、プリーツスクリーン、ダブルシェード）がイメージ図１３で表記されている。
【００２９】
各設置場所欄１１ａ〜１１ｇには、項目名として、カーテンが設置される各設置場所が、その設置場所の名称（１Ｆ掃出窓、１Ｆ腰窓、２Ｆ掃出窓、２Ｆ腰窓、和室掃出窓、和室腰窓、小窓）と、その設置場所の構成を示すイメージ図１５とで表記されている。
【００３０】
また、各購入単価欄１２ａ〜１２ｃには、各価格プラン（Ａ、Ｂ、Ｃ）の購入単価（１，５００円／ｍ２、２，０００円／ｍ２、２，５００円／ｍ２）が項目名として表記されている。なお、本実施の形態１において、購入単価には、建物の床１平米（１ｍ２）当たりのカーテンの購入価格（円）が採用されている。よって、本実施の形態１において、建物１戸分のカーテンの購入額は、購入単価に建物の延べ床平米を乗ずることで求められる。また、これらの購入単価欄１２ａ〜１２ｃは、価格プランの優先順位の低いものから順に配列されている。
【００３１】
例えば、図１に示すカーテン購入費見積用帳票１において、各購入単価欄１２ａ〜１２ｃは、「１，５００円／ｍ２」と表記された購入単価欄１２ａ、「２，０００円／ｍ２」と表記された購入単価欄１２ｂ、「２，５００円／ｍ２」と表記された購入単価欄１２ｃの順に配列されており、この図１に示すカーテン購入費見積用帳票１からは、価格プランの優先順位は、購入単価が「１，５００円／ｍ２」の価格プラン（即ち、価格プランＡ）が最も低く、次いで、購入単価が「２，０００円／ｍ２」の価格プラン（即ち、価格プランＢ）が低く、購入単価が「２，５００円／ｍ２」の価格プラン（即ち、価格プランＣ）が最も高いことを読み取ることができる。
【００３２】
また、各設置場所に設置可能な各カーテンの種類は、当該設置場所が表記された設置場所欄１１ａ〜１１ｇと当該設置場所の当該カーテンの種類に対応する価格プランの購入単価が表記された購入単価欄１２ａ〜１２ｃとが交差する位置に表記されている。ここで、各設置場所に設置可能な各カーテンの種類は、設置場所毎にカーテンの種類を選択する際に、選択者が、その種類のカーテンを設置場所に設置したときの状態をイメージし易いように、その種類のカーテンをその設置場所に設置した状態を示すイメージ図１３で表記されている。
【００３３】
例えば、図１及び図２に示すカーテン購入費見積用帳票において、設置場所である「１Ｆ掃出窓」のイメージ図が表記された設置場所欄１１ａにおいて、「１，５００円／ｍ２」と表記された購入単価欄１２ａと交差する位置には、「レギュラーカーテン」を「１Ｆ掃出窓」に設置したときのイメージ図１３が表記され、「２，５００円／ｍ２」と表記された購入単価欄１２ｃと交差する位置には、「プリーツスクリーン」を「１Ｆ掃出窓」に設置したときのイメージ図１３が表記されている。よって、このカーテン購入費見積用帳票からは、「１Ｆ掃出窓」に設置可能なカーテンの種類は、「レギュラーカーテン」と「プリーツスクリーン」であり、「１Ｆ掃出窓」の「レギュラーカーテン」に対応する価格プランは、購入単価が「１，５００円／ｍ２」の価格プラン（即ち、価格プランＡ）であり、「１Ｆ掃出窓」の「プリーツスクリーン」とに対応する価格プランは、購入単価が「２，５００円／ｍ２」の価格プランであることを読み取ることができる。
【００３４】
また、各購入単価欄１２ａ〜１２ｃにおいて、カーテンの種類が表記されていない余白部分１６ａ〜１６ｃには、その購入単価が設定された価格プラン（Ａ、Ｂ、Ｃ）が、識別記号（Ａプラン、Ｂプラン、Ｃプラン）で表記されている。
【００３５】
例えば、図１及び図２に示すカーテン購入費見積用帳票において、「１，５００円／ｍ２」と表記された購入単価欄１２ａの「１Ｆ掃出窓」と表記された設置場所欄１１ａとの交差部分の余白部分１６ａには「Ａプラン」と表記され、「２，０００円／ｍ２」と表記された購入単価欄１２ｂの「１Ｆ掃出窓」と表記された設置場所欄１１ａとの交差部分の余白部分１１ｂには「Ｂプラン」と表記され、「２，５００円／ｍ２」と表記された購入単価欄１２ｃの「１Ｆ掃出窓」と表記された設置場所欄１１ａとの交差部分の余白部分１６ｃには「Ｃプラン」と表記されている。よって、このカーテン購入費見積用帳票からは、「Ａプラン」との識別記号で示された価格プランＡの購入単価が「１，５００円／ｍ２」で、「Ｂプラン」との識別記号で示された価格プランＢの購入単価が「２，０００円／ｍ２」で、「Ｃプラン」との識別記号で示された価格プランＣの購入単価が「２，５００円／ｍ２」であることを読み取ることができる。
【００３６】
また、このカーテン購入費見積用帳票１には、各価格プランの区分け線１７ａ〜１７ｃが描かれている。各価格プラン（Ａ，Ｂ，Ｃ）の区分け線１７ａ〜１７ｃは、当該価格プランの購入単価が表記された購入単価欄１２ａ〜１２ｃ及び当該価格プランよりも優先順位の低い価格プランの購入単価１２ａ〜１２ｃが表記された全ての購入単価欄を囲むように設けられている。ここで、区分け線１７ａ〜１７ｃで区分けされた領域同士を色分けすれば、各設置場所の各内装材の種類について、対応する価格プランの識別が容易となる。
【００３７】
例えば、図１及び２に示すカーテン購入費見積用帳票において、価格プランＡの区分け線１７ａは、価格プランＡの購入単価「１，５００円／ｍ２」と表記された購入単価欄１２ａを囲むように設けられている。また、価格プランＢの区分け線１７ｂは、価格プランＢの購入単価「２，０００円／ｍ２」と表記された購入単価欄１２ｂと、価格プランＢよりも優先順位の低い価格プランＡの購入単価「１，５００円／ｍ２」と表記された購入単価欄１２ａとを囲むように設けられている。さらに、価格プランＣの区分け線１７ｃは、価格プランＣの購入単価「２，５００円／ｍ２」と表記された購入単価欄１２ｃと、価格プランＣよりも優先順位の低い価格プランＢの購入単価「２，０００円／ｍ２」と表記された購入単価欄１２ｂと、価格プランＣよりも優先順位の低い価格プランＡの購入単価「１，５００円／ｍ２」と表記された購入単価欄１２ａとを囲むように設けられている。
【００３８】
＜実施の形態１＞
次に、上記したカーテン購入費見積用帳票を用いて、建物１戸分のカーテンの購入費を見積もる実施の形態１に係るカーテン購入費見積方法を、図３に示すフローチャートを参照して説明する。
【００３９】
まず、上記したカーテン購入費見積用帳票１をカーテンの選択者に提示する（ステップＳ１１）。
【００４０】
次いで、設置場所毎に、カーテンの種類を１つ選択する（ステップＳ１２）。即ち、カーテン購入費見積用帳票１の各設置場所欄１１ａ〜１１ｇについて、当該設置場所欄１１ａ〜１１ｇに表記されている内装材の種類の中から１つの内装材の種類を選択する。この際、見積もりを行う対象の建物に存在しない設置場所については、選択を行う必要はない。例えば、見積もりを行う対象の建物に、図１のカーテン購入費見積用帳票１に表示されている「１Ｆ掃出窓」が存在しない場合には、「１Ｆ掃出窓」に設置するカーテンの種類の選択は不要である。
【００４１】
全ての設置場所についてカーテンの種類を選択したら、複数ある価格プランの中から、１つの価格プランを選定する（ステップＳ１３）。具体的には、ステップＳ１２でカーテンの種類を選択した全ての設置場所について、選択したカーテンの種類に応じて予め設定されている価格プランを参照し、全ての設置場所において同一の価格プランが参照される場合には、その価格プランを見積用価格プランとして選定する一方、少なくとも１つの設置場所において他の設置場所と異なる価格プランが参照される場合には、参照した価格プランのうち最も優先順位が高い１つの価格プランを見積用価格プランとして選定する。
【００４２】
なお、このような見積用価格プランの選定は、ステップＳ１２で選択した各設置場所の内装材の種類のイメージ図１３が、図１に示すカーテン購入費見積用帳票において、どの価格プランの区分け線１７ａ〜１７ｃで囲まれた領域内に表記されているかを読み取ることで、簡単に行うことができる。例えば、ステップＳ１２で選択した各設置場所の内装材の種類のイメージ図１３が全て、価格プランＡの区分け線１７ａで囲まれた領域内に表記されている場合には、見積用価格プランとして価格プランＡを選定する。また、ステップＳ１２で選択した各設置場所の内装材の種類のうちの少なくとも１つが、価格プランＡの区分け線１７ａで囲まれた領域外にイメージ図１３が表記されており、且つ、価格プランＡの区分け線１７ａで囲まれた領域外に表記されたイメージ図１３が全て価格プランＢの区分け線１７ｂで囲まれた領域内に表記されている場合には、見積用価格プランとして価格プランＢを選定する。さらに、ステップＳ１２で各設置場所の内装材の種類のイメージ図１３のうち少なくとも１つが、価格プランＢの区分け線１７ｂで囲まれた領域外に表記されている場合には、見積用価格プランとして価格プランＣを選定する。
【００４３】
逆に言えば、カーテンの購入者の予算が、価格プランＡの購入単価「１，５００円／ｍ２」に見積対象の建物の延べ床面積を乗じた額である場合には、ステップＳ１２では、各設置場所において、価格プランＡの区分け線１７ａで囲まれた領域内にイメージ図１３が表示されているカーテンの種類を選択すればよい。また、カーテンの購入者の予算が、価格プランＢの購入単価「２，０００円／ｍ２」に見積対象の建物の延べ床面積を乗じた額である場合には、ステップＳ１２では、各設置場所において、価格プランＢの区分け線１７ｂで囲まれた領域内にイメージ図１３が表示されているカーテンの種類を選択すればよい。さらに、カーテンの購入者の予算が、価格プランＣの「購入単価２，５００円／ｍ２」に見積対象の建物の延べ床面積を乗じた額である場合には、ステップＳ１２では、各設置場所において、価格プランＣの区分け線１７ｃで囲まれた領域内にイメージ図１３が表示されているカーテンの種類を選択すればよい。
【００４４】
そして、上記したようにして、見積用価格プランを選定したら、選定した見積用価格プランの購入単価に、見積対象の建物の延べ床面積を乗じ、見積額を算出する（ステップＳ１４）。これにより、本実施の形態１に係るカーテン購入費見積方法の全処理を終了する。
【００４５】
上記したようなカーテン購入費見積方法によれば、カーテン購入費見積用帳票の提示により、設置場所毎に当該設置場所に設置可能なカーテンの種類が全て提示されるから、カーテンの購入者は、各設置場所について、提示されたカーテンの種類の中から、その設置場所の大きさ、即ち、カーテンが設置される窓の開口面積等を確認することなく、迅速且つ簡単に、１つのカーテンの種類を選択することができる。
【００４６】
また、上記したようなカーテン購入費見積方法では、設置場所毎のカーテンの種類の選択結果に基づいて、１つの価格プランを選定し、この選定した価格プランの購入単価に建物の延べ床面積を乗じて見積額を算出する。このため、設置場所毎に設置場所の大きさを確認してカーテンの価格を決定した後で、それらの価格を合算する見積方法と比べ、迅速且つ簡単に、建物１戸分のカーテンの購入にかかる費用を見積もることができる。
【００４７】
なお、上記した実施の形態１のカーテン購入費見積方法では、列方向に複数の設置場所欄１１ａ〜１１ｇが配列され、行方向に複数の購入単価欄１２ａ〜１２ｃが配列されたカーテン購入費見積用帳票を使用したが、行方向に複数の設置場所欄１１ａ〜１１ｇが配列され、列方向に複数の購入単価欄１２ａ〜１２ｃが配列されたカーテン購入費見積用帳票を使用してもよい。
【００４８】
＜実施の形態２＞
以下、本実施の形態２では、建物１戸分の内装材であるカーテンの購入にかかる費用を見積もるカーテン購入費見積システムに、本発明の内装材購入費見積システムを適用した場合を示す。
【００４９】
実施の形態２の内装材購入費見積システムは、図４に示すように、主に、各種データの入力を行うマウスやキーボード等からなる入力装置２と、ＣＲＴやＬＣＤ等の表示機能を有する表示装置３と、ＨＤ（ハードディスク）等の記憶装置４と、演算処理装置５とを備えている。
【００５０】
記憶装置４は、価格プラン情報データベース４１（本発明でいう第１記憶部）と、場所別カーテン種別価格プラン情報データベース４２（本発明でいう第２記憶部）とを備えている。
【００５１】
また、演算処理装置５は、選択制御部５１と、価格プラン選定部５２と、見積額算出部５３とを備える構成とされている。
【００５２】
以下に、記憶装置４に備えられている各種データベース４１，４２、及び演算処理装置５に備えられている各部５１〜５３について説明する。
【００５３】
＜価格プラン情報データベース＞
価格プラン情報データベース４１には、図５に示すように、価格プラン別（Ａ、Ｂ、Ｃ）に、優先順位（３、２、１）と、購入単価（円／ｍ２）（１，５００、２，０００、２５００）とが記憶されている。なお、本実施の形態２では、建物の床１平米（１ｍ２）当たりのカーテンの購入単価（円／ｍ２）を購入単価としている。よって、本実施の形態２において、建物１戸分のカーテンの購入費用は、当該建物の延べ床平米（ｍ２）に購入単価（円／ｍ２）を乗ずることで算出される。
【００５４】
＜場所別カーテン種別価格プラン情報データベース＞
場所別カーテン種別価格プラン情報データベース４２には、図６に示すように、カーテンが設置される設置場所（１Ｆ掃出窓、１Ｆ掃出窓、１Ｆ腰窓、１Ｆ腰窓・・・）別、カーテンの種類（レギュラーカーテン、プリーツスクリーン、レギュラーカーテン、ロールスクリーン）別に、価格プラン（Ａ、Ｃ、Ａ・・・）が記憶されている。
【００５５】
例えば、設置場所が「１Ｆ掃出窓」でカーテンの種類が「レギュラーカーテン」の場合の価格プランは、「Ａ」であり、設置場所が「１Ｆ掃出窓」でカーテンの種類が「プリーツスクリーン」の価格プランは「Ｃ」であることが記憶されている。
【００５６】
＜選択制御部＞
選択制御部５１は、図６に示す場所別カーテン種別価格プラン情報データベース４２に記憶されている設置場所毎に、図９〜図１５に示すような選択画面を表示装置３に出力することにより、当該適用場所に適用可能な内装材の種類を全てユーザに提示し、提示した内装材の種類の中から、ユーザが入力装置２を通じて選択した１つの内装材の種類を記憶する構成とされている。
【００５７】
＜価格プラン選定部＞
価格プラン選定部５２は、価格プラン情報データベース４１に記憶されている複数の価格プランの中から、１つの価格プランを見積用価格プランとして選定する。
【００５８】
具体的には、選択制御部５１が内装材の種類を記憶した設置場所毎に、当該設置場所と、当該設置場所に対して選択制御部５１が記憶した内装材の種類とに対応する価格プランを、場所別カーテン種別価格プラン情報データベース４２から抽出する。そして、選択制御部５１が内装材の種類を記憶した全ての設置場所において、同一の価格プランが抽出された場合には、その価格プランを見積用価格プランとして選定する。逆に、少なくとも１つの設置場所において他の設置場所と異なる価格プランが抽出された場合には、抽出した価格プランのうち、価格プラン情報データベース４１に記憶されている優先順位が最も高い１つの価格プランを見積用価格プランとして選定する。
【００５９】
＜見積部＞
見積額算出部５３は、価格プラン選定部５２が選定した見積用価格プランの購入単価（円／ｍ２）を、価格プラン情報データベース４１から抽出し、抽出した購入単価（円／ｍ２）を基に、建物１戸分のカーテンの購入にかかる費用を見積もる。
【００６０】
具体的には、抽出した購入単価（円／ｍ２）に、ユーザが入力装置２を通じて入力した建物の延べ床平米（ｍ２）を乗じて、見積額を算出する。
【００６１】
本実施の形態２に係るカーテン購入費見積システムは、本実施の形態１に係るカーテン購入費見積方法が、図示しないＣＰＵ等で構成されるコンピュータ（演算処理装置５）により実行される構成とされている。
【００６２】
次に、本実施の形態２に係るカーテン購入費見積システムにより実行されるカーテン購入費見積方法の具体的な処理の流れについて、図７に示すフローチャートを参照して説明する。
【００６３】
本実施の形態２に係るカーテン購入費見積方法では、まず、演算処理装置５が、表示装置３に、図８に示す初期画面６を出力する（ステップＳ２１）。この初期画面６には、延べ床平米が入力される入力欄６１と、決定ボタン６２とが備えられている。
【００６４】
次いで、初期画面６の入力欄６１に入力がなされ、決定ボタン６２が押下されたか否かを判定する（ステップＳ２２）。そして、入力欄６１への入力がなされ、決定ボタン６２が押下されたと判断した場合には、「Ｙｅｓ」と判定して、次のステップＳ２３へ処理を移行する。入力欄６１への入力がない場合及び決定ボタン６２が押下されていない場合には、「Ｎｏ」と判定して、このステップＳ２２の判定を再度行う。
【００６５】
ステップＳ２３では、選択制御部５１が、１つの設置場所に関して、当該設置場所に設置するカーテンの種類を選択するための選択画面を表示装置３へ出力する（提示ステップ）。
【００６６】
すなわち、選択制御部５１は、ステップＳ２３の処理の都度、例えば、図９〜図１６に示すような選択画面７を出力する。この選択画面７には、設置場所の名称７１と、この設置場所に設置可能な全てのカーテンの種類の名称７２と、初期画面６で入力された延べ床平米７３とが表示されている。さらに、選択画面７には、カーテンの種類を選択するための選択ボタン７４，７５と、価格プラン出力欄７６と、購入単価出力欄７７と、見積額出力欄７８と、決定ボタン８１と、前画面に戻る際に押下される戻るボタン８２とが備えられている。
【００６７】
選択ボタン７４は、各カーテンの種類の名称７２の上に設けられており、この選択ボタン７４には、この選択ボタン７４の下の名称７２で表わされる種類のカーテンを、名称７１で表わされる設置場所に設置したときのイメージ図が表記されている。また、選択ボタン７５は、見積対象の建物に名称７１で表わされる設置場所が存在しない場合に押下される選択ボタンであり、この選択ボタン７５には、「なし」と表記されている。
【００６８】
また、各カーテンの種類の名称７２及び選択ボタン７４は、名称７１の設置場所とそのカーテンの種類とに対応する価格プランが低いものから順に、選択画面７の横方向に沿って、又は選択画面７の横方向と縦方向とに沿って配列されている。そして、名称７２及び選択ボタン７４が表示された各カーテンの種類に対し、どの価格プランが設定されているかを識別できるように、価格プランの分類を示す区分け線（価格プランＡの区分け線８３、価格プランＢの区分け線８４、及び価格プランＣの区分け線８５）が表示されている。
【００６９】
このよう選択画面で、ユーザにより、１つの選択ボタン７４，７５が押下される（ステップＳ２４で「Ｙｅｓ」と判定する）と、選択制御部５１がその選択結果を記憶する（ステップＳ２５：記憶ステップ）。例えば、図９に示す１Ｆ掃出窓用の選択画面において、「レギュラーカーテン」との名称７２の上の選択ボタン７４が押された場合には、「１Ｆ掃出窓」と「レギュラーカーテン」とを関連づけて記憶し、「プリーツスクリーン」との名称７２の上の選択ボタン７４が押された場合には、「１Ｆ掃出窓」と「プリーツスクリーン」とを関連づけて記憶し、「なし」と表記された選択ボタン７５が押された場合には、「１Ｆ掃出窓」と「なし」とを関連づけて記憶する。
【００７０】
次いで、価格プラン選定部５２が、価格プランの選定を行う（ステップＳ２６：価格プラン選定ステップ）。具体的には、選択制御部５１に記憶されている設置場所毎に、その設置場所に対して選択されたカーテンの種類に応じた価格プランを、場所別カーテン種別価格プラン情報データベース（図６参照）から抽出する。なお、カーテンの種類が「なし」と記憶されている設置場所については、価格プランの抽出を行わない。これにより、選択制御部５１に記憶されている設置場所の全て（カーテンの種類が「なし」と記憶されている設置場所を除く）について、同一の価格プランが抽出された場合には、その価格プランを見積額の算出に使用する見積用価格プランとして選定し、異なる価格プランが抽出された場合には、価格プラン情報データベース（図５参照）に記憶されている優先順位が最も高い価格プランを見積額の算出に使用する見積用価格プランとして選定する。
【００７１】
次いで、見積額算出部５３が見積額の算出を行う（ステップＳ２７：見積額算出ステップ）。具体的には、直前のステップＳ２６で価格プラン選定部５２が選定した見積用価格プランの購入単価を価格プラン情報データベース（図５参照）から抽出し、この抽出した購入単価に、初期画面６で入力された延べ床平米７３を乗じて見積額を算出する。そして、直前のステップＳ２６で価格プラン選定部５２が選定した価格プラン、この価格プランの購入単価、及び算出した見積額を、選択画面７の価格プラン出力欄７６、購入単価出力欄７７、見積額出力欄７８にそれぞれ出力する（図９〜図１５参照）。
【００７２】
次いで、直前のステップＳ２７による見積額の算出後に、カーテンの種類の選択変更があったか否か、即ち、見積額の算出後に選択ボタン７４，７５が押下されたか否かを判定する（ステップＳ２８）。
【００７３】
カーテンの種類の選択変更があった場合には、ステップＳ２８で「Ｙｅｓ」と判定して、再度、ステップＳ２５〜Ｓ２７の処理を行う。なお、ステップＳ２５での選択結果の記憶処理において、選択制御部５１は、１つの設置場所に対して、１つの選択結果を記憶する。即ち、１つの設置場所に対して選択変更があった場合（即ち、ステップＳ２８で「Ｙｅｓ」と判定された場合）には、選択制御部５１は、その設置場所に対して、選択変更後の選択結果を記憶すると同時に、その設置場所に関する変更前の選択結果の記憶を消去する。
【００７４】
カーテンの種類の選択変更がない場合には、ステップＳ２８で「Ｎｏ」と判定して、決定ボタン８１が押下されたか否かを判定する（ステップＳ２９）。
【００７５】
決定ボタン８１が押下されていない場合には、ステップＳ２９で「Ｎｏ」と判定して、ステップＳ２８の判定を再度行う。
【００７６】
決定ボタン８１が押下された場合には、ステップＳ２９で「Ｙｅｓ」と判定し、カーテンの種類の選択が行われていない設置場所、即ち、ステップＳ２３で選択画面を出力していない設置場所が有るか否かを判定する（ステップＳ３０）。
【００７７】
カーテンの種類の選択が行われてない設置場所が有る場合には、ステップＳ２３の処理に戻り、カーテンの種類の選択が行われていない１つの設置場所用の選択画面７を出力する。
【００７８】
全ての設置場所について、カーテンの種類の選択が行われている場合には、図１６に示すような結果表示画面９を出力し（ステップＳ３１）、カーテン購入費見積方法の全処理を終了する。
【００７９】
結果表示画面９には、結果表示欄９１と、価格プラン表示欄９２、購入単価表示欄９３、見積額表示欄９４、及び延べ床平米表示欄９５とが設けられている。
【００８０】
例えば、図１６に示す結果表示画面９の延べ床平米表示欄９５は、図８に示す初期画面６で、入力欄６１に建物の延べ床平米（ｍ２）として「２００」が入力されたことを示している。また、結果表示欄９１は、図９に示す１Ｆ掃出窓用の選択画面７で「１Ｆ掃出窓」のカーテンの種類に「レギュラーカーテン」が選択され、図１０に示す１Ｆ腰窓用の選択画面７で「１Ｆ腰窓」のカーテンの種類に「プレーンシェード」が選択され、図１１に示す２Ｆ掃出窓用の選択画面７で、「２Ｆ掃出窓」のカーテンの種類に「レギュラーカーテン」が選択され、図１２に示す２Ｆ腰窓用の選択画面７で、「２Ｆ腰窓」のカーテンの種類に「ダブルシェード」が選択され、図１３に示す和室掃出窓用の選択画面７で、「和室掃出窓」のカーテンの種類に「レギュラーカーテン」が選択され、図１４に示す和室腰窓用の選択画面７で「和室腰窓」のカーテンの種類に「レギュラーカーテン」が選択され、図１５に示す小窓用の選択画面７で「小窓」のカーテンの種類に「なし」が選択されたことを示している。
【００８１】
このような選択が行われた場合には、最終のステップＳ２６で、価格プラン選定部５２は、図６に示す場所別カーテン種別価格プラン情報データベースから、１Ｆ掃出窓におけるレギュラーカーテンの価格プラン「Ａ」と、１Ｆ腰窓におけるプレーンシェードの価格プラン「Ｂ」と、２Ｆ掃出窓におけるレギュラーカーテンの価格プラン「Ａ」と、２Ｆ腰窓におけるダブルシェードの価格プラン「Ｃ」と、和室掃出窓におけるレギュラーカーテンの価格プラン「Ａ」と、和室腰窓におけるレギュラーカーテンの価格プラン「Ａ」とを抽出する。そして、抽出した価格プラン「Ａ」、「Ｂ」、及び「Ｃ」のうち、図５に示す価格プラン情報データベースに記憶されている優先順位が最も高い価格プラン「Ｃ」を見積額の算出に用いる価格プランとして選定する。次いで、ステップＳ２７で、見積額算出部５３が、図５に示す価格プラン情報データベースから、価格プラン「Ｃ」の購入単価「２，５００」（円／ｍ２）を抽出し、抽出した購入単価「２，５００」（円／ｍ２）に初期画面６で入力された延べ床平米「２００」ｍ２を乗じて、見積額「５００，０００」円を算出する。
【００８２】
このようにして最終のステップＳ２６及び２７の処理により決定された見積用の価格プラン「Ｃ」、購入単価「２，５００」（円／ｍ２）、及び見積額「５００，０００」（円）が、図１６に示す結果表示画面９の価格プラン表示欄９２、購入単価表示欄９３、見積額表示欄９４、及び延べ床平米表示欄９５の各欄に表示されている。
【００８３】
本実施の形態２に係るカーテン購入費見積方法は、前述したように、図示しないＣＰＵ等で構成されるコンピュータ（演算処理装置５）に本実施の形態２に係るカーテン購入費見積方法の各ステップを実行させるカーテン購入費見積方法プログラムにより実現される。上述した各ステップ（カーテン購入費見積方法）を実行するカーテン購入費見積プログラムは、適宜の記憶装置（例えばコンピュータが内蔵する記憶装置またはコンピュータに接続された外部記憶装置）を介して適宜の記録媒体に格納することが可能である。
【００８４】
なお、記録媒体としては、マスクＲＯＭ、フラッシュＲＯＭといった半導体装置、ハードディスク、フレキシブルディスク、ＭＯディスク、ＣＤ―ＲＯＭ、ＤＶＤ―ＲＯＭ、ＢＤ―ＲＯＭ、光磁気ディスク、ＩＣカード、磁気テープなどを設置することができ、コンピュータプログラムを記録することが可能であればどのような他の記録媒体であっても良い。
【００８５】
また、カーテン購入費見積プログラムそのものを通信により伝送して送信先の記録媒体に記録することも可能である。
【００８６】
上記した本実施の形態２に係るカーテン購入費見積システム及びカーテン購入費見積方法によれば、設置場所毎に、当該設置場所に設置可能なカーテンの種類が表示装置３に出力されるから、ユーザは、設置場所毎に、当該設置場所に設置可能なカーテンの種類を把握することができる。また、選択ボタン７４，７５の押下により見積額が表示されるから、その見積額を参照しながら、予算に合ったカーテンの種類を適宜選択することができる。
【００８７】
なお、上記した実施の形態２において、結果表示画面９の結果表示欄９１（図１６参照）には、実施の形態１で示したカーテン購入費見積用帳票１を表示してもよい。この場合のカーテン購入費見積用帳票１は、ユーザが各設置場所についてどのカーテンの種類を選択したかが認識可能とされている。例えば、図１７に示すカーテン購入費見積用帳票１では、ユーザが各設置場所について選択したカーテンの種類の表示部１８ａの色が、他のカーテンの種類の表示部１８ｂの色と異ならせてあり、このカーテン購入費見積用帳票１からは、「１Ｆ掃出窓」のカーテンの種類に「レギュラーカーテン」が選択され、「１Ｆ腰窓」のカーテンの種類に「プレーンシェード」が選択され、「２Ｆ掃出窓」のカーテンの種類に「レギュラーカーテン」が選択され、「２Ｆ腰窓」のカーテンの種類に「ダブルシェード」が選択され、「和室掃出窓」のカーテンの種類に「レギュラーカーテン」が選択され、「和室腰窓」のカーテンの種類に「レギュラーカーテン」が選択されたことを読み取ることができる。
【００８８】
また、上記した実施の形態１及び２では、床１平米（ｍ２）当たりのカーテンの購入価格（円／ｍ２）を購入単価としているが、本発明で購入単価は、建物１戸分の内装材の購入費用の算出が可能な単価であれば、特に限定されない。例えば、内装材がカーテンである場合、窓の開口面積１ｍ２当たりのカーテンの購入価格（円／ｍ２）を購入単価とし、建物の窓の総開口面積に、窓の開口面積当たりのカーテンの購入単価（円／ｍ２）を乗じて、カーテンの購入費用を見積もってもよい。
【００８９】
また、本実施の形態１及び２では、建物１戸分の内装材であるカーテンの購入にかかる費用の見積もりに本発明を適用しているが、カーテン以外の内装材、例えば、建物１戸分の床材、壁紙等の購入にかかる費用の見積もりに本発明を適用してもよい。
【符号の説明】
【００９０】
１  カーテン購入費見積用帳票
１１ａ〜１１ｇ  設置場所欄
１２ａ〜１２ｃ  購入単価欄
１３  内装材の種類のイメージ図
１５  設置場所のイメージ図
１６ａ〜１６ｃ  余白部分
１７ａ〜１７ｃ  区分け線
１８ａ、１８ｂ  表示部
２  入力装置
３  表示装置
４  記憶装置
４１  価格プラン情報データベース（第１記憶部）
４２  場所別カーテン種別価格プラン情報データベース（第２記憶部）
５  演算処理装置
５１  選択制御部
５２  価格プラン選定部
５３  見積額算出部
６  初期画面
６１  入力欄
７  選択画面
７１  設置場所の名称
７２  カーテンの種類の名称
７３  延べ床平米
７４，７５  選択ボタン
７６  価格プラン出力欄
７７  購入単価出力欄
７８  見積額出力欄
８１  決定ボタン
８２  戻るボタン
９  結果表示画面
９１  結果表示欄
９２  価格プラン表示欄
９３  購入単価表示欄
９４  見積額表示欄
９５  延べ床平米表示欄
【図１】
0005717122.tif 000002
【図２】
0005717122.tif 000003
【図３】
0005717122.tif 000004
【図４】
0005717122.tif 000005
【図５】
0005717122.tif 000006
【図６】
0005717122.tif 000007
【図７】
0005717122.tif 000008
【図８】
0005717122.tif 000009
【図９】
0005717122.tif 000010
【図１０】
0005717122.tif 000011
【図１１】
0005717122.tif 000012
【図１２】
0005717122.tif 000013
【図１３】
0005717122.tif 000014
【図１４】
0005717122.tif 000015
【図１５】
0005717122.tif 000016
【図１６】
0005717122.tif 000017
【図１７】
0005717122.tif 000018